(57)【特許請求の範囲】
【請求項１】
コンピュータを用いて、利用者が行う生産物の注文を支援する注文支援方法であって、
前記コンピュータが、利用者用端末から受信した生産物および収穫場所に対応する画像情報につき、該画像情報を構成するセルと対応付けて格納されている出荷日に関する情報に基づいて、即日出荷可能または所定期間以内に出荷予定のセルのみを指定可能なセルとした画像情報として利用者用端末に送信する閲覧情報送信段階と、
前記コンピュータが、利用者用端末において利用者が前記画像情報から指定した前記セルに基づき、前記セルの指定を含む注文情報を利用者用端末から受信し、受信した前記セルの指定を含む注文情報を生産者用端末に送信する注文情報送信段階と
を有する注文支援方法。
【請求項２】
コンピュータに、
前記利用者用端末から受信した生産物および収穫場所に対応する画像情報につき、該画像情報を構成するセルと対応付けて格納されている出荷日に関する情報に基づいて、即日出荷可能または所定期間以内に出荷予定のセルのみを指定可能なセルとした画像情報として利用者用端末に送信する閲覧情報送信手順と、
利用者用端末において利用者が前記画像情報から指定した前記セルに基づき、前記セルの指定を含む注文情報を利用者用端末から受信し、受信した前記セルの指定を含む注文情報を生産者用端末に送信する注文情報送信手順と
を実行させるための注文支援プログラム。
【発明の詳細な説明】
【０００１】
【発明の属する技術分野】
本発明は、注文支援方法および注文支援プログラムに係り、特に利用者が行う生産物の注文を支援する注文支援方法および注文支援プログラムに関する。
【０００２】
【従来の技術】
例えば野菜，果実などの作物は、生産地や生産者の違いにより味が異なることがある。さらに、作物は収穫される畑，木または枝などの違いによっても味が異なることがある。
【０００３】
そこで、料理人などの食材を厳選する利用者は、食材となる作物の生産地，生産者を指定するだけでなく，作物が収穫される畑，木または枝などの収穫場所も指定して作物を購入していた。
【０００４】
【発明が解決しようとする課題】
このように収穫する畑，木または枝などにこだわった作物を利用者が入手するためには、収穫以前から生産者と連絡を取って購入したい作物の生産状況や収穫予定を確認し、購入の申し込みを行う必要があり、非常に手間が掛かるという問題がある。一方、生産者は利用者からの問合せに一件一件回答する必要があるため、農作業が忙しい時期などに負担となるという問題がある。
【０００５】
したがって、収穫する畑，木または枝などにこだわった作物を一般の利用者が入手することは、実際上、非常に困難であった。
【０００６】
本発明は、上記の点に鑑みなされたもので、利用者が収穫場所にこだわった生産物の注文を容易に行うことができる注文支援方法および注文支援プログラムを提供することを目的とする。
【０００７】
【課題を解決するための手段】
そこで、上記課題を解決するため、本発明は、コンピュータを用いて、利用者が行う生産物の注文を支援する注文支援方法であって、前記コンピュータが、利用者用端末から受信した生産物および収穫場所に対応する画像情報につき、該画像情報を構成するセルと対応付けて格納されている出荷日に関する情報に基づいて、即日出荷可能または所定期間以内に出荷予定のセルのみを指定可能なセルとした画像情報として利用者用端末に送信する閲覧情報送信段階と、前記コンピュータが、利用者用端末において利用者が前記画像情報から指定した前記セルに基づき、前記セルの指定を含む注文情報を利用者用端末から受信し、受信した前記セルの指定を含む注文情報を生産者用端末に送信する注文情報送信段階とを有することを特徴とする。
【０００８】
このような注文支援方法では、コンピュータが、利用者に生産物およびその生産物の収穫場所の画像情報を閲覧させると共に、利用者から受信した収穫場所の指定を含む注文を生産者に通知する。
【０００９】
したがって、利用者は生産物および収穫場所の画像情報を閲覧した後、収穫場所を指定した生産物の注文を容易に行うことが可能である。また、生産者は生産物および収穫場所の画像情報をコンピュータに予め登録しておくことで利用者からの問合せを減少させることができ、負担を大きく増加させることなく収穫場所が指定された生産物の注文を受けることが可能である。
【００１３】
【発明の実施の形態】
次に、本発明の実施の形態について図面に基づいて説明する。なお、本実施例では、生産物の一例として作物の注文を支援する例について説明するが、如何なる生産物であってもよい。
【００１４】
図１は、本発明による注文支援システムの一実施例の構成図を示す。図１の注文支援システム１は、注文支援装置１０と、マンションなどの集合住宅２０と、利用者用端末２１ａ〜２１ｎと、生産者用端末２２ａ〜２２ｎとを有するように構成される。また、注文支援装置１０と利用者用端末２１ａ〜２１ｎおよび生産者用端末２２ａ〜２２ｎとは、例えばインターネットなどのネットワーク３０を介して接続されている。
【００１５】
利用者用端末２１ａ〜２１ｎは、野菜や果実などの作物を購入する利用者が操作するものである。例えば利用者用端末２１ａ〜２１ｍは、集合住宅２０の住人が利用者として操作するものである。また、利用者用端末２１ｍ＋１〜２１ｎは集合住宅２０以外の住人が利用者として操作するものである。生産者用端末２２ａ〜２２ｎは、野菜や果実などの作物を生産して販売する生産者が操作するものである。
【００１６】
また、注文支援装置１０は後述するように、利用者が行う作物の注文を支援するものであり、利用者と生産者との間で行う商取引の仲介を行うものである。次に、図２および図３を利用して注文支援装置１０の詳細について説明していく。
【００１７】
図２は、本発明による注文支援装置の一実施例のハードウェア構成図を示す。図２の注文支援装置１０は、それぞれバスＢで相互に接続されている入力装置４１と，表示装置４２と，ドライブ装置４３と，記録媒体４４と，補助記憶装置４５と，メモリ装置４６と，演算処理装置４７と，インターフェース装置４８とを有するように構成される。
【００１８】
入力装置４１はキーボード及びマウスなどで構成され、各種操作信号を入力するために用いられる。表示装置４２は、操作に必要な各種ウインドウやデータ等を表示する。インターフェース装置４８は例えばモデム（MODEM），ルータ（Router）等で構成され、ネットワーク３０に接続するために用いられる。
【００１９】
注文支援装置１０が利用する注文支援プログラムは、ＣＤ−ＲＯＭ等の記録媒体４４によって提供される。注文支援プログラムを記録した記録媒体４４は、ドライブ装置４３にセットされ、注文支援プログラムが記録媒体４４からドライブ装置４３を介して補助記憶装置４５にインストールされる。
【００２０】
補助記憶装置４５は、インストールされた注文支援プログラムを格納すると共に、必要なファイルやデータ等を格納する。メモリ装置４６は、注文支援装置１０の起動時に補助記憶装置４５から注文支援プログラムを読み出して格納する。演算処理装置４７は、メモリ装置４６に格納された注文支援プログラムに従って注文支援装置１０に係る機能を実行する。
【００２１】
図３は、本発明による注文支援装置の一実施例の機能構成図を示す。図３の注文支援装置１０は、認証処理部５０と，登録処理部５１と，情報提供処理部５２と，注文処理部５３と，評価処理部５４と，利用者マスタ５５と，生産者マスタ５６と，作物種別マスタ５７と，作物マスタ５８と，過去出荷情報テーブル５９と，注文テーブル６０と，評価情報テーブル６１とを有するように構成される。
【００２２】
認証処理部５０は、ネットワーク３０を介して利用者用端末２１ａ〜２１ｎまたは生産者用端末２２ａ〜２２ｎを接続した利用者または生産者の認証処理を行う。認証処理は、利用者マスタ５５又は生産者マスタ５６を利用して行う。
【００２３】
図４は、利用者マスタの一例の構成図を示す。図４の利用者マスタ５５は、利用者を識別する利用者ＩＤおよびパスワードと，利用者の氏名と，住所と，連絡先とをデータ項目として含む。図５は生産者マスタの一例の構成図を示す。図５の生産者マスタ５６は、生産者を識別する生産者ＩＤおよびパスワードと，生産者の氏名と，作物を識別する作物ＩＤと，住所と，連絡先とをデータ項目として含む。
【００２４】
認証処理部５０は、利用者マスタ５５の利用者ＩＤおよびパスワードまたは生産者マスタ５６の生産者ＩＤおよびパスワードを利用することで、利用者または生産者の認証処理を行う。
【００２５】
登録処理部５１は、生産者から受信した作物に関する情報を作物種別マスタ５７，作物マスタ５８または過去出荷情報テーブル５９に登録する。図６は、作物種別マスタの一例の構成図を示す。図６の作物種別マスタ５７は、作物を識別する作物ＩＤと，種別と，品名とをデータ項目として含む。
【００２６】
図７は作物マスタの一例の構成図を示す。図７の作物マスタ５８は、生産者を識別する生産者ＩＤと，作物を識別する作物ＩＤと，畑を識別する畑ＩＤと，畑の画像データ名と，木を識別する木ＩＤと，木の画像データ名と，木の枝などに生っている実の位置（以下、実位置という）を識別する実位置ＩＤと，実位置の画像データ名と，実位置から収穫される作物の数を表す収穫予定数と，実位置から出荷された作物の数を表す出荷済数と，実位置から作物を出荷する出荷日と，実位置から収穫される作物の単価と，備考とをデータ項目として含む。
【００２７】
図８は、過去出荷情報テーブルの一例の構成図を示す。図８の過去出荷情報テーブル５９は、作物の収穫場所を識別する収穫場所ＩＤと，その収穫場所から作物を出荷した昨年の出荷日（以下、昨年出荷日という）と，その収穫場所から出荷された昨年の出荷量（以下、昨年出荷量という）とをデータ項目として含む。
【００２８】
情報提供処理部５２は、利用者が作物の注文を行うために必要な作物選択用画面および作物注文用画面を作物種別マスタ５７，作物マスタ５８および過去出荷情報テーブル５９を用いて作成し、要求のあった利用者に提供する。例えば作物選択用画面は、利用者が生産者，作物，畑，木，実位置を順番に選択するためのものである。また、作物注文用画面は作物選択用画面で選択した実位置を収穫場所として指定し、作物の注文を行うためのものである。
【００２９】
注文処理部５３は、利用者から受信した注文情報を注文テーブル６０に登録すると共に、その注文情報を生産者に通知する。図９は、注文テーブルの一例の構成図を示す。図９の注文テーブルは、利用者を識別する利用者ＩＤと，作物の収穫場所を識別する収穫場所ＩＤと，利用者から注文のあった注文日と,利用者からの出荷指示日と，注文のあった作物の個数と，利用者と生産者との間で決済を行った決済日とをデータ項目として含む。
【００３０】
評価処理部５４は、利用者から取得した作物に対する評価情報を評価情報テーブル６１に登録する。例えば評価処理部５４は、作物を購入した利用者にアンケートを依頼することで、作物に対する評価情報を取得する。
【００３１】
図１０は、評価情報テーブルの一例の構成図を示す。図１０の評価情報テーブル６１は、利用者を識別する利用者ＩＤと，作物の収穫場所を識別する収穫場所ＩＤと，その収穫場所から出荷された作物に対する評価ランクと，備考とをデータ項目として含む。
【００３２】
次に、図３の注文支援装置１０の処理手順について説明する。図１１は、注文支援装置の処理の一実施例のフローチャートを示す。図１１中、ステップＳ１０では、認証処理部５０がユーザからＩＤおよびパスワードを受信する。ステップＳ１０に続いてステップＳ１１に進み、認証処理部５０は生産者マスタ５６の生産者ＩＤおよびパスワードを参照してユーザが生産者か否かを判定する。
【００３３】
ユーザが生産者であると判定すると（Ｓ１１においてＹＥＳ）、認証処理部５０はその旨を登録処理部５１に通知してステップＳ１２に進む。ステップＳ１２では、登録処理部５１が作物に関する情報登録処理を行う。なお、ステップＳ１２の情報登録処理の詳細については後述する。
【００３４】
一方、ユーザが生産者でないと判定すると（Ｓ１１においてＮＯ）、認証処理部５０はステップＳ１３に進み、利用者マスタ５５の利用者ＩＤおよびパスワードを参照してユーザが利用者か否かを判定する。
【００３５】
ユーザが利用者であると判定すると（Ｓ１３においてＹＥＳ）、認証処理部５０はその旨を情報提供処理部５２，注文処理部５３および評価処理部５４に通知してステップＳ１４に進む。ステップＳ１４では、利用者から評価処理を希望している旨が通知されたか否かを判定する。ここで、評価処理とは作物を購入した利用者が、その作物の味などを評価することをいう。
【００３６】
利用者から評価処理を希望する旨が通知されたと判定すると（Ｓ１４においてＹＥＳ）、ステップＳ１６に進み、評価処理部５４は作物に対する評価情報を入力するための評価情報入力画面を例えば利用者用端末２１ａに表示させる。評価処理部５４は、利用者が評価情報入力画面に入力した評価情報を受信し、評価情報テーブル６１に登録する。
【００３７】
一方、利用者から評価処理でなく情報提供・注文処理を希望する旨が通知されたと判定すると（Ｓ１４においてＮＯ）、ステップＳ１５に進み、情報提供処理部５２および注文処理部５３は情報提供・注文処理を行う。なお、ステップＳ１５の情報提供・注文処理の詳細については後述する。また、ユーザが利用者でないと判定すると（Ｓ１３においてＮＯ）、認証処理部５０は処理を終了する。
【００３８】
次に、ステップＳ１２の情報登録処理について詳細に説明する。図１２は、ステップＳ１２の情報登録処理の一実施例のフローチャートを示す。図１２中、ステップＳ２１では、例えば生産者が生産者用端末２２ａを操作して収穫場所情報を入力する。収穫場所情報には、例えば作物ＩＤと，畑ＩＤと，畑の画像データと，木ＩＤと，木の画像データと，実位置ＩＤと，実位置の画像データとが含まれている。登録処理部５１は、生産者用端末２２ａに入力された収穫場所情報をネットワーク３０を介して受信する。
【００３９】
ステップＳ２１に続いてステップＳ２２に進み、例えば生産者が生産者用端末２２ａを操作して収穫場所ごとの出荷情報を入力する。出荷情報には、例えば収穫予定数と，出荷済数と，出荷日と，単価と，備考とが含まれている。また、出荷情報には、昨年出荷日と昨年出荷量とが含まれることもある。登録処理部５１は、生産者用端末２２ａに入力された出荷情報をネットワーク３０を介して受信する。
【００４０】
ステップＳ２２に続いてステップＳ２３に進み、登録処理部５１はステップＳ２１で受信した収穫場所情報およびステップＳ２２で受信した出荷情報を作物種別マスタ５７，作物マスタ５８，過去出荷情報テーブル５９に登録する。ステップＳ１２の情報登録処理は、所定の日数（例えば、１日）ごとに行われることが望ましい。このような情報登録処理により、畑，木，実位置などの画像データ名および収穫場所ごとの出荷情報が作物マスタ５８に登録される。また、出荷場所ごとの昨年出荷日および昨年出荷量が過去出荷情報テーブル５９に登録される。
【００４１】
次に、ステップＳ１５の情報提供・注文処理について詳細に説明する。図１３は、ステップＳ１５の情報提供・注文処理の一実施例のフローチャートを示す。図１３中、ステップＳ３１では、情報提供処理部５２が作物マスタ５８を参照して作物選択用画面を生成する。作物選択用画面は、生産者，作物，畑，木を順番に選択できるものであればよい。情報提供処理部５２は、生成した作物選択用画面を例えば利用者が操作する利用者用端末２１ａに送信する。
【００４２】
ステップＳ３１に続いてステップＳ３２に進み、情報提供処理部５２は利用者が操作する利用者端末２１ａから木を指定する指定情報を受信する。なお、ステップＳ３１とステップＳ３２との処理を繰り返すことで、生産者，作物，畑，木を順番に選択するようにしてもよい。
【００４３】
ステップＳ３２に続いてステップＳ３３に進み、情報提供処理部５２は作物マスタ５８を参照してステップＳ３２で受信した指定情報に対応する画像データを読み出す。なお、画像データは予め注文支援装置１０に登録してあるものを読み出してもよいし、該当する生産者用端末から読み出してもよい。情報提供処理部５２は、読み出した画像データを例えば利用者が操作する利用者用端末２１ａに送信する。
【００４４】
例えばステップＳ３２で受信した指定情報が木を指定する場合、情報提供処理部５２は図１４のような画像データを例えば利用者が操作する利用者用端末２１ａに送信する。図１４は、利用者用端末に表示される画像データの一例のイメージ図を示す。画像データ７０は、セルと呼ばれる範囲に１本以上の線７１で区分されている。なお、読み出した画像データ７０を利用者用端末２１ａに送信するとき、画像データ７０の各セルに対応する出荷日を作物マスタ５８から読み出し、近日出荷予定または即日出荷可能なセルのみを選択可能な形式として送信してもよい。
【００４５】
利用者が利用者用端末２１ａを操作してセル７２を選択すると、情報提供処理部５２はステップＳ３４に進み、利用者用端末２１ａからセルを指定するセル指定情報を受信する。ステップＳ３４に続いてステップＳ３５に進み、情報提供処理部５２は作物マスタ５８を参照し、指定されたセルに対応する作物注文用画面を生成して例えば利用者が操作する利用者用端末２１ａに送信する。
【００４６】
図１５は、作物注文用画面の一例のイメージ図を示す。図１５の作物注文用画面８０は、ステップＳ３２で受信した指定情報に対応する画像データ７０と，ステップＳ３４で受信したセル指定情報に対応するセル７２の出荷情報７３と，注文情報入力欄７４と，出荷日指定欄７５と，注文ボタン７６と，キャンセルボタン７７とを有するように構成されている。
【００４７】
出荷情報７３には、セル７２の昨年の出荷量，今年の出荷日，注文可能数などの情報が含まれる。注文情報入力欄７４は、利用者が作物を注文する個数を入力する入力欄である。また、出荷日指定欄７５は、利用者が出荷日を指定する場合に出荷日を入力する入力欄である。
【００４８】
なお、選択された木が畑のどの辺りに位置しているかを表した俯瞰図を作物注文用画面８０に表示してもよい。また、利用者用端末２１ａからセル指定情報を受信したとき、セル指定情報に対応するセルの出荷日を作物マスタ５８から読み出し、近日出荷予定または即日出荷可能なセル以外を受け付けないようにしてもよい。
【００４９】
利用者が注文情報入力欄７４に注文個数を入力して注文ボタン７６をクリックすると、注文処理部５３はステップＳ３６に進み、利用者用端末２１ａから注文情報を受信する。なお、利用者が注文情報入力欄７４に注文個数を入力すると共に、出荷日指定欄７５に出荷日を入力して注文ボタン７６をクリックすると、利用者が出荷日を指定できる。出荷日指定欄７５に出荷日を入力しなければ、生産者が出荷日を決定する。
【００５０】
ステップＳ３６に続いてステップＳ３７に進み、注文処理部５３は注文確認画面を例えば利用者が操作する利用者用端末２１ａに送信し、利用者用端末２１ａから注文確認情報を受信することで注文確認処理を行う。
【００５１】
ステップＳ３７に続いてステップＳ３８に進み、注文処理部５３は利用者と生産者との間で決算処理を行う。例えば利用者がマンションなどの集合住宅２０の住人であれば身元が確かであり、費用の回収が容易である。また、集合住宅２０の管理組合と提携することで、費用の回収を自動で行うこともできる。さらに、公共機関や法人の顧客を利用者とすれば、公共機関や法人が管理している顧客情報を利用して費用の回収を行うことも可能である。
【００５２】
ステップＳ３８に続いてステップＳ３９に進み、注文処理部５３は該当する生産者が操作する例えば生産者用端末２２ａへ注文情報を送信する。そして、ステップＳ３９に続いてステップＳ４０に進み、注文処理部５３はステップＳ３６で受信した注文情報に基づき注文テーブル６０を更新する。
【００５３】
以上の処理の後で、生産者は受信した注文情報に基づき、作物を利用者に発送する。購入した作物を食べたあと、利用者はステップＳ１６の評価処理により評価情報の入力を行うことができる。評価情報テーブル６１に登録された作物の評価情報は、例えば作物注文用画面８０などに表示することもできる。利用者は作物注文用画面８０などに表示される自分又は他人の評価情報を以後の購入に役立てることができる。また、生産者は利用者の要望を容易に集めることができ、以後の作物の生産に役立てることができる。
【００５４】
本発明は、以下に記載する付記のような構成が考えられる。
（付記１）  コンピュータを用いて、利用者が行う生産物の注文を支援する注文支援方法であって、
前記コンピュータが、利用者からの要求に応じて生産物および収穫場所の画像情報を利用者用端末に送信する閲覧情報送信段階と、
前記コンピュータが、利用者用端末から受信した生産物および収穫場所の指定を含む注文情報を生産者用端末に送信する注文情報送信段階と
を有する注文支援方法。
（付記２）  前記閲覧情報送信段階は、前記生産物および収穫場所の画像情報と前記収穫場所を区分けした区画ごとの出荷情報とを利用者用端末に送信することを特徴とする付記１記載の注文支援方法。
（付記３）  前記閲覧情報送信段階は、所定期間以内に出荷予定の生産物を他の生産物と区別した画像情報を利用者用端末に送信することを特徴とする請求項１又は２記載の注文支援方法。
（付記４）  前記注文情報は、利用者からの出荷指示情報を更に含むことを特徴とする付記１乃至３何れか一項記載の注文支援方法。
（付記５）  注文を行った利用者が操作する利用者用端末から生産物の評価情報を受信し、その評価情報を格納する評価情報格納段階を更に有することを特徴とする付記１乃至４何れか一項記載の注文支援方法。
（付記６）  コンピュータに、
前記利用者からの要求に応じて生産物および収穫場所の画像情報を利用者用端末に送信する閲覧情報送信手順と、
前記利用者用端末から受信した生産物および収穫場所の指定を含む注文情報を生産者用端末に送信する注文情報送信手順と
を実行させるための注文支援プログラム。
（付記７）  コンピュータに、
前記利用者からの要求に応じて生産物および収穫場所の画像情報を利用者用端末に送信する閲覧情報送信手順と、
前記利用者用端末から受信した生産物および収穫場所の指定を含む注文情報を生産者用端末に送信する注文情報送信手順と
を実行させるための注文支援プログラムを記録したコンピュータ読み取り可能な記録媒体。
（付記８）  利用者が行う生産物の注文を支援する注文支援装置であって、
生産者が販売する生産物およびその生産物の収穫場所の画像情報が格納された生産物情報格納手段と、
前記利用者からの要求に応じて前記生産物情報格納手段から読み出した生産物および収穫場所の画像情報を利用者用端末に送信する閲覧情報送信手段と、
前記利用者用端末から受信した生産物および収穫場所の指定を含む注文情報を生産者用端末に送信する注文情報送信手段と
を有する注文支援装置。
【００５５】
【発明の効果】
上述の如く、本発明によれば、利用者は生産物および収穫場所の画像情報を閲覧した後、収穫場所を指定した生産物の注文を容易に行うことが可能である。また、生産者は生産物および収穫場所の画像情報をコンピュータに予め登録しておくことで利用者からの問合せを減少させることができ、負担を大きく増加させることなく収穫場所が指定された生産物の注文を受けることが可能である。
【００５６】
また、本発明によれば、利用者は区画ごとの出荷情報を閲覧した後、収穫場所を区画単位に指定した生産物の注文を容易に行うことが可能である。
【００５７】
【図面の簡単な説明】
【図１】本発明による注文支援システムの一実施例の構成図である。
【図２】本発明による注文支援装置の一実施例のハードウェア構成図である。
【図３】本発明による注文支援装置の一実施例の機能構成図である。
【図４】利用者マスタの一例の構成図である。
【図５】生産者マスタの一例の構成図である。
【図６】作物種別マスタの一例の構成図である。
【図７】作物マスタの一例の構成図である。
【図８】過去出荷情報テーブルの一例の構成図である。
【図９】注文テーブルの一例の構成図である。
【図１０】評価情報テーブルの一例の構成図である。
【図１１】注文支援装置の処理の一実施例のフローチャートである。
【図１２】ステップＳ１２の情報登録処理の一実施例のフローチャートである。
【図１３】ステップＳ１５の情報提供・注文処理の一実施例のフローチャートである。
【図１４】利用者用端末に表示される画像データの一例のイメージ図である。
【図１５】作物注文用画面の一例のイメージ図である。
【符号の説明】
１    注文支援システム
１０    注文支援装置
２０    集合住宅
２１ａ〜２１ｎ    利用者用端末
２２ａ〜２２ｎ    生産者用端末
３０    ネットワーク
４１    入力装置
４２    表示装置
４３    ドライブ装置
４４    記録媒体
４５    補助記憶装置
４６    メモリ装置
４７    演算処理装置
４８    インターフェース装置
５０    認証処理部
５１    登録処理部
５２    情報提供処理部
５３    注文処理部
５４    評価処理部
５５    利用者マスタ
５６    生産者マスタ
５７    作物種別マスタ
５８    作物マスタ
５９    過去出荷情報テーブル
６０    注文テーブル
６１    評価情報テーブル
７０    画像データ
７２    選択されたセル
７３    出荷情報
７４    注文情報入力欄
７５    出荷日指定欄
７６    注文ボタン
７７    キャンセルボタン
８０    作物注文用画面
Ｂ    バス
【図１】
0004100927.tif 000002
【図２】
0004100927.tif 000003
【図３】
0004100927.tif 000004
【図４】
0004100927.tif 000005
【図５】
0004100927.tif 000006
【図６】
0004100927.tif 000007
【図７】
0004100927.tif 000008
【図８】
0004100927.tif 000009
【図９】
0004100927.tif 000010
【図１０】
0004100927.tif 000011
【図１１】
0004100927.tif 000012
【図１２】
0004100927.tif 000013
【図１３】
0004100927.tif 000014
【図１４】
0004100927.tif 000015
【図１５】
0004100927.tif 000016